(57)【要約】【課題】物品に取り付けられたＩＣタグを用いて当該物品における一方の部品に対する他方の部品の脱着を簡単な構成で安定的に監視する。【解決手段】第１部品は第２部品が装着されたときに第２部品と接触する接触部材を有し、ＩＣタグは、物品を識別する識別情報を記憶する物品側記憶部と、第１部品に対して第２部品が装着されたときの接触部材の電磁気的な性質を示す物性値を第１部品と第２部品との脱着に関する脱着情報として検知する検知部と、識別情報および検知部により検知された脱着情報を送信する送信部とを備えている。【選択図】図４
2019128807.tif 000002
【特許請求の範囲】
【請求項１】
第１部品と、ＩＣタグが取り付けられた第２部品とが相互に脱着可能なＩＣタグ付物品であって、
前記第１部品は前記第２部品が装着されたときに前記第２部品と接触する接触部材を有し、
前記ＩＣタグは、
前記物品を識別する識別情報を記憶する物品側記憶部と、
前記第１部品に対して前記第２部品が装着されたときの前記接触部材の電磁気的な性質を示す物性値を前記第１部品と前記第２部品との脱着に関する脱着情報として検知する検知部と、
前記識別情報および前記検知部により検知された脱着情報を送信する送信部とを備える
ことを特徴とするＩＣタグ付物品。
【請求項２】
請求項１に記載のＩＣタグ付物品であって、
前記物品側記憶部は前記検知部により検知された脱着情報を記憶するＩＣタグ付物品。
【請求項３】
請求項２に記載のＩＣタグ付物品であって、
前記検知部により脱着情報が検知される毎に、前記物品側記憶部に記憶される前記脱着情報を更新する情報更新部を備えるＩＣタグ付物品。
【請求項４】
請求項１ないし３のいずれか一項に記載のＩＣタグ付物品であって、
前記第２部品は前記第１部品に対する前記第２部品の装着時に前記接触部材と摺接する接点を有し、
前記検知部は前記接点を介して前記接触部材に電流を流して前記接触部材の電気抵抗を前記物性値として計測するＩＣタグ付物品。
【請求項５】
請求項４に記載のＩＣタグ付物品であって、
前記接点の硬度と前記接触部材の硬度とは相互に異なるＩＣタグ付物品。
【請求項６】
請求項５に記載のＩＣタグ付物品であって、
前記接点の硬度は前記接触部材の硬度よりも高いＩＣタグ付物品。
【請求項７】
請求項１ないし６のいずれか一項に記載のＩＣタグ付物品における前記第１部品と前記第２部品との脱着を監視する脱着監視装置であって、
前記ＩＣタグの前記送信部から送信される識別情報および脱着情報を受信する受信部と、
前記受信部で前記識別情報および前記脱着情報を受信する毎に、受信した識別情報および脱着情報を相互に関連つけて記憶する監視側記憶部と、
前記受信部で前記識別情報および前記脱着情報を受信する毎に、受信した識別情報と同一の識別情報について前記監視側記憶部に関連付けて記憶されている脱着情報のうちの最新の脱着情報と前記受信部に受信された脱着情報との同一性を判定する同一性判定部と、
前記同一性判定部により脱着情報の同一性が確認されたときには前記第１部品と前記第２部品との脱着が行われず、確認されなかったときには前記第１部品と前記第２部品との脱着が行われたと判定する脱着判定部と
を備えることを特徴とする脱着監視装置。
【請求項８】
請求項１ないし６のいずれか一項に記載のＩＣタグ付物品における前記第１部品に対する前記第２部品の脱着を監視する脱着監視方法であって、
前記ＩＣタグの前記送信部から識別情報および脱着情報が送信される毎に、以下の工程（ａ）〜（ｄ）
（ａ）送信されてくる識別情報および脱着情報を相互に関連つけて監視側記憶部に記憶する工程と、
（ｂ）受信した識別情報と同一の識別情報について前記監視側記憶部に関連付けて記憶された脱着情報のうちの最新の脱着情報を抽出する工程と、
（ｃ）抽出された前記脱着情報と、受信した脱着情報との同一性を判定する工程と、
（ｄ）脱着情報の同一性が確認されたときには前記第１部品と前記第２部品との脱着が行われず、同一性が確認されないときには前記第１部品と前記第２部品との脱着が行われたと判定する工程と
を実行することを特徴とする脱着監視方法。
【請求項９】
物品を構成する、互いに脱着可能な第１部品および第２部品のうち前記第２部品に取り付けられるＩＣタグであって、
前記物品を識別する識別情報を記憶する物品側記憶部と、
前記第１部品と前記第２部品との脱着に関する脱着情報を検知する検知部と、
前記識別情報および前記検知部により検知された脱着情報を送信する送信部とを備え、
前記検知部は、前記第１部品のうち前記第１部品に対して前記第２部品が装着されたときに前記第２部品と接触する接触部材の電磁気的な性質を示す物性値を計測し、前記物性値に基づいて前記脱着情報を検知することを特徴とするＩＣタグ。
【発明の詳細な説明】
【技術分野】
【０００１】
この発明は、第１部品と、ＩＣタグが取り付けられた第２部品とが相互に脱着可能なＩＣタグ付物品、ＩＣタグ付物品における部品の脱着を監視する脱着監視技術ならびにそれらに好適なＩＣタグに関するものである。
【背景技術】
【０００２】
２つの部品を互いに脱着可能に設けた物品、例えばボトルでは、ボトル本体に対してキャップを装着してボトル本体に貯留した内容物を管理している。このようにキャップ装着により内容物を保護した状態でボトルが商品として流通され、消費者に届けられる。近年においては、商品の入出庫、在庫、販売管理などを効率的に行うために、商品にＩＣタグを取り付けるケースが増えている。
【０００３】
ここで、商品価値は、ボトルにあるのではなく、内容物（例えば高級酒や医薬品など）にある。このため、ボトルの流通過程においてキャップが開栓され、内容物が偽造品に詰め替えられた後、キャップが再装着されて販売されることがあった。このような偽造対策として、キャップの開栓動作によってＩＣタグを構成するＩＣチップの電気的接続を切断することが提案されている（例えば特許文献１参照）。
【先行技術文献】
【特許文献】
【０００４】
【特許文献１】特開２０１１−２２７７５２号公報
【発明の概要】
【発明が解決しようとする課題】
【０００５】
上記従来技術では、開栓動作によってＩＣタグ自身が持つ通信機能を破壊するための構成をキャップに設ける必要があり、キャップ構造が複雑になるという問題があった。また、開栓動作に伴って通信機能の破壊が不完全であると、開栓を検出することができず、動作の安定性にも問題があった。なお、このような問題はボトルに限定されるものではなく、物品を構成する２つの部品について一方の部品に対して他方の部品を脱着されたことがＩＣタグによって監視されて物品管理が行われる技術全般に生じている。
【０００６】
この発明は上記課題に鑑みなされたものであり、物品に取り付けられたＩＣタグを用いて当該物品における一方の部品に対する他方の部品の脱着を簡単な構成で安定的に監視することができる技術を提供することを目的とする。
【課題を解決するための手段】
【０００７】
本発明の第１態様は、第１部品と、ＩＣタグが取り付けられた第２部品とが相互に脱着可能なＩＣタグ付物品であって、第１部品は第２部品が装着されたときに第２部品と接触する接触部材を有し、ＩＣタグが、物品を識別する識別情報を記憶する物品側記憶部と、第１部品に対して第２部品が装着されたときの接触部材の電磁気的な性質を示す物性値を第１部品と第２部品との脱着に関する脱着情報として検知する検知部と、識別情報および検知部により検知された脱着情報を送信する送信部とを備えることを特徴としている。
【０００８】
また、本発明の第２態様は、上記ＩＣタグ付物品における第１部品と第２部品との脱着を監視する脱着監視装置であって、ＩＣタグの送信部から送信される識別情報および脱着情報を受信する受信部と、受信部で識別情報および脱着情報を受信する毎に、受信した識別情報および脱着情報を相互に関連つけて記憶する監視側記憶部と、受信部で識別情報および脱着情報を受信する毎に、受信した識別情報と同一の識別情報について監視側記憶部に関連付けて記憶されている脱着情報のうちの最新の脱着情報と受信部に受信された脱着情報との同一性を判定する同一性判定部と、同一性判定部により脱着情報の同一性が確認されたときには第１部品と第２部品との脱着が行われず、確認されなかったときには第１部品と第２部品との脱着が行われたと判定する脱着判定部とを備えることを特徴としている。
【０００９】
また、本発明の第３態様は、上記ＩＣタグ付物品における第１部品に対する第２部品の脱着を監視する脱着監視方法であって、ＩＣタグの送信部から識別情報および脱着情報が送信される毎に、以下の工程（ａ）〜（ｄ）、（ａ）送信されてくる識別情報および脱着情報を相互に関連つけて監視側記憶部に記憶する工程と、（ｂ）受信した識別情報と同一の識別情報について監視側記憶部に関連付けて記憶された脱着情報のうちの最新の脱着情報を抽出する工程と、（ｃ）抽出された脱着情報と、受信した脱着情報との同一性を判定する工程と、（ｄ）脱着情報の同一性が確認されたときには第１部品と第２部品との脱着が行われず、同一性が確認されないときには第１部品と第２部品との脱着が行われたと判定する工程とを実行することを特徴としている。
【００１０】
さらに、本発明の第４態様は、物品を構成する、互いに脱着可能な第１部品および第２部品のうち第２部品に取り付けられるＩＣタグであって、物品を識別する識別情報を記憶する物品側記憶部と、第１部品と第２部品との脱着に関する脱着情報を検知する検知部と、識別情報および検知部により検知された脱着情報を送信する送信部とを備え、検知部は、第１部品のうち第１部品に対して第２部品が装着されたときに第２部品と接触する接触部材の電磁気的な性質を示す物性値を計測し、物性値に基づいて脱着情報を検知することを特徴としている。
【００１１】
このように構成された発明では、ＩＣタグが第１部品と第２部品との脱着に関する脱着情報を検知し、物品を識別する識別情報とともに送信する。したがって、識別情報と脱着情報とを参照することで物品における一方の部品（第１部品（または第２部品））に対する他方の部品（第２部品（または第１部品））の脱着判定を確実に行うことができる。
【発明の効果】
【００１２】
以上のように、識別情報に関連付けて脱着情報を求める機能を有するＩＣタグを用いることで物品における一方の部品に対する他方の部品の脱着を簡単な構成で安定的に監視することができる。
【図面の簡単な説明】
【００１３】
【図１】本発明に係るＩＣタグ付物品の一実施形態であるボトルの外観を示す斜視図である。
【図２】図１に示すボトルにおけるキャップの脱着を模式的に示す図である。
【図３】キャップへのＩＣタグの取付状態を模式的に示す図である。
【図４】本発明に係る脱着監視装置の一実施形態であるキャップの開栓監視装置を示す図である。
【図５】図４に示す開栓監視装置による開栓監視動作を模式的に示す図である。
【発明を実施するための形態】
【００１４】
図１は本発明にかかるＩＣタグ付物品の一実施形態であるボトルの外観を示す斜視図である。また、図２は図１に示すボトルにおけるキャップの脱着を模式的に示す図である。また、図３はキャップへのＩＣタグの取付状態を模式的に示す図である。さらに、図４は本発明に係る脱着監視装置の一実施形態であるキャップの開栓監視装置を示す図である。ボトル１はボトル本体２とボトルキャップ３とにより構成されている。
【００１５】
ボトル本体２は例えばポリエチレンテレフタレート（ＰＥＴ）を主材料としたペットボトルと称される樹脂容器である。ボトル本体２の胴部２１は、角筒状、円筒状、あるいは六角筒状等の形状に仕上げられ、その内部に水、お茶、ジュースなどの飲料物を貯留可能となっている。この胴部２１の頂部には蓋閉め部２２が形成されている。ここでは、胴部２１の肩部から上方の概ねボトルキャップ３が装着される範囲を概略的に蓋閉め部２２としている。蓋閉め部２２の上端は、注ぎ口２３が開放され、注ぎ口２３の近くから下方に向かって雄ネジ２４が適宜形成されている。雄ネジ２４は、連続した螺旋雄ネジのほか、適宜一部分断される等の形状を有している。
【００１６】
また雄ネジ２４では、ボトルキャップ３の装着によりボトルキャップ３に設けられる接点３３と電気的に接触するように、導電性の接触部材２５が雄ネジ２４の螺旋方向に沿って所定長さだけ雄ネジ２４のネジ山に取り付けられている。ここでは、図２に示すように、接触部材２５の取付範囲は雄ネジ２４のネジ山の一部となっているが、当該ネジ山全体に接触部材２５を設けてもよいことは言うまでもない。接触部材２５を作り込む手法としては、例えば蒸着法、メッキ法や印刷法などを用いることができるが、特に印刷法を用いるのが好適である。その理由については後で詳述する。さらに、ネジ山の一部または全部を導電性の素材で構成し、これを接触部材２５として機能させてもよい。
【００１７】
ボトルキャップ３は、ボトル本体２を構成する樹脂素材とは通常別種の樹脂素材が適用されることが多いが、これに限定されるものではなく、同一樹脂素材で形成されてもよい。このボトルキャップ３では、図２に示すように、キャップ本体３１に対し、その内側に雌ネジ３２が形成され、ボトルキャップ３を所定方向に回転させることでボトル本体２に設けられた雄ネジ２４と螺合してボトルキャップ３の装着を行うことが可能となっている。逆に、ボトルキャップ３を反対側に回転させることでボトル本体２から取り外すことが可能となっている。
【００１８】
ここで、本実施形態において特徴的な点は、図１ないし図３に示すように、ボトルキャップ３にＩＣタグ４が取り付けられるとともに、ボトルキャップ３がボトル本体２に装着されたときに当該ＩＣタグ４と接触部材２５とを電気的に接続させるために接点３３、３４と配線３５、３６がボトルキャップ３に設けられている点である。ＩＣタグ４の取付態様は任意であり、インモールドや接着剤などを用いることができる。接点３３、３４は接触部材２５と電気的に接触可能であれば、いずれに設けてもよいが、ボトル本体２に装着されたボトルキャップ３により隠されるように配置されるのが望ましい。本実施形態では、例えば図２および図３に示すように、雌ネジ３２のネジ山の切り位置において互いに螺旋方向に離間して設けられ、ボトルキャップ３のボトル本体２への装着時に雄ネジ２４のネジ山を臨むように設けられている。この点については、配線３５、３６も接点３３，３４と同様である。
【００１９】
また、螺旋方向における接点３３、３４の離間距離は接触部材２５の長さよりも短くなっており、上記装着時ならびにボトルキャップ３のボトル本体２からの取外時には、接点３３、３４が接触部材２５の表面を摺動する。このため、ボトルキャップ３の脱着毎に接点３３、３４と接触部材２５との間で摩耗が生じて電気抵抗が変化する。特に、本実施形態では、接点３３、３４の硬度が接触部材２５の硬度よりも高くなるように設定しているため、ボトルキャップ３の脱着に接点３３、３４が接触部材２５の表面を削りながら移動し、電気抵抗が大きく変動する。このため、ボトルキャップ３の脱着を行うと、脱着毎に電気抵抗はユニークな値となる。つまり、ボトルキャップ３を取り外した後に再装着した場合、その前後における電気抵抗は必ず異なる値となり、接触部材２５の電気抵抗値がボトル本体２とボトルキャップ３との脱着に関する脱着情報として機能し得る。そこで、本実施形態では、図３に示すように、接点３３、３４がそれぞれ配線３５、３６を介してＩＣタグ４のＩＣチップ４１と電気的に接続され、ＩＣタグ４によって接触部材２５の電気抵抗値を脱着情報として適宜検知可能となっている。
【００２０】
ＩＣタグ４は、図４に示すように、ＩＣチップ４１と、アンテナ４２とを有している。これらのうちＩＣチップ４１は、通信給電部４１１と、制御部４１２と、記憶部４１３とを有している。通信給電部４１１はアンテナ４２を介して脱着監視装置５から送信される電波を受信して電磁誘導によりＩＣチップ４１の各部に給電する給電機能と、上記電波で送信された指令をデジタルデータに変換して制御部４１２に与え、また後で詳述するように識別情報および脱着情報を含む電波をアンテナ４２を介して送信する通信機能とを兼ね備えている。なお、通信給電部４１１から給電される電流の一部は配線３５を介して接点３３に与えられる。
【００２１】
制御部４１２は検知部４１２ａと情報更新部４１２ｂとを有している。検知部４１２ａは配線３６を介して接点３４と電気的に接続されており、接触部材２５の電気抵抗値を検知可能となっている。そして、検知部４１２ａにより検知された電気抵抗値は記憶部４１３に適宜登録され、電気抵抗値の書換が実行される。この書換更新は情報更新部４１２ｂにより行われ、常に最新の電気抵抗値がＩＣタグ４に保存される。
【００２２】
記憶部４１３には、上記した電気抵抗値（脱着情報）以外に、ボトル１を識別する識別情報が記憶されている。このように識別情報に対して最新の電気抵抗値が対応して記憶部４１３に記憶される。これらはボトル１におけるボトルキャップ３の脱着に関するデータとして制御部４１２から通信給電部４１１に与えられる。そして、これらのデータを含む電波を通信給電部４１１がアンテナ４２を介して脱着監視装置５に送信する。
【００２３】
脱着監視装置５は、図４に示すように、リーダライタ５１と、コントローラ５２と、表示／操作部５３とを備えている。リーダライタ５１はＩＣタグ４と無線通信を行い、コントローラ５２からのチェック指令データを含む電波を受信し、デジタルデータに変換してＩＣタグ４に送信し、またＩＣタグ４から電気抵抗値および識別情報を含む電波を受信し、デジタルデータに変換してコントローラ５２に与える。
【００２４】
コントローラ５２は、ＣＰＵ（= Central Processing Unit）やＲＡＭ（=Random
Access Memory）等を有するコンピューターにより構成される制御部５２１と、プログラムや各種データを記憶する記憶部５２２とを有している。制御部５２１は記憶部５２２に記憶されているプログラムに基づいて開栓監視動作を実行する。つまり、制御部５２１は、リーダライタ５１を介して受信した電気抵抗値および識別情報を相互に関連つけて容器情報として記憶部５２２に記憶させる。これによりボトル１に関する最新の容器情報が記憶部５２２に記憶される。また、この容器情報に基づき制御部５２１はボトル１の同一性を判定する。すなわち、制御部５２１は、容器情報を受信する毎に、受信した識別情報と同一の識別情報について記憶部５２２に関連付けて記憶されている電気抵抗値のうちの最新値を読み出す。そして、これが新たに受信した電気抵抗値と同一である、あるいは変動量が許容範囲以内である場合には、電気抵抗値の同一性が担保されており、ボトルキャップ３は開栓されていないと制御部５２１は判定する。逆に、変動量が許容範囲を超えて同一性が担保されていない場合には、ボトルキャップ３が一度取り外されたと制御部５２１は判定する。このように制御部５２１は本発明の「同一性判定部」および「脱着判定部」として機能する。そして、これらの判定結果や各種データが表示／操作部５３に表示されてユーザ確認が容易であり、また当該表示／操作部５３を介してユーザがチェック指令を与えることが可能となっている。
【００２５】
脱着監視装置５としては、例えばパーソナルコンピュータにリーダライタ５１を接続したものや、ネットワークを介してサーバにリーダライタ５１を接続したものを用いることができる。また、スマートフォン等の通信機能を有する携帯端末に専用アプリをインストールしたものを脱着監視装置５として用いてもよい。いずれの場合も、次のようにして脱着監視を実行することができる。
【００２６】
図５はＩＣタグ付ボトルにおける脱着監視動作を模式的に示す図である。ここでは、ボトル１への内容物の充填、つまりボトリング後にボトルキャップ３がボトル本体２から一度も取り外されていない、いわゆる未開封状態の場合（同図の（ａ）欄）と、ボトルキャップ３がボトル本体２から取り外れた後に再装着された開封状態の場合（同図の（ｂ）欄）とに分けて説明する。
【００２７】
本実施形態では、最初のボトリング直後にユーザが脱着監視装置５を操作して未開封状態での電気抵抗値の計測を行う。より具体的には、ユーザはリーダライタ５１をボトルキャップ３に近づけるとともに表示／操作部５３を介して最初のチェック指令（以下、これを「初期設定指令」と称し、その後で実行されるチェック指令と区別する）を与える。すると、初期設定指令データを含む電波が脱着監視装置５からＩＣタグ４に送信され、これを受けてボトリング直後の電気抵抗値が計測され、ボトル１の識別情報と関連つけてＩＣタグ４の記憶部４１に記憶される（同図の（ａ）欄の最上部参照）。また、当該識別情報および計測された電気抵抗値を含む電波がＩＣタグ４から脱着監視装置５に送信され、脱着監視装置５の記憶部５２２に容器情報として登録される（本発明の工程（ａ）の一例に相当）。図５では、ボトル１の識別情報およびボトリング直後の電気抵抗値として「ＩＤ０１」および「ＸＸΩ」がそれぞれ登録されている。
【００２８】
そして、最初のボトリング後にボトル１の開栓状況を確認する場合、ユーザはリーダライタ５１をボトルキャップ３に近づけるとともに表示／操作部５３を介してチェック指令を与える。これによって、初期設定指令が与えられた場合と同様にして、同図の（ａ）欄の最下部に示すように、ＩＣタグ４により現時点での電気抵抗値が計測され、ＩＣタグ４の記憶部４１に登録されて更新される。また、識別情報および計測された電気抵抗値を含む電波がＩＣタグ４から脱着監視装置５に送信される。これを受信した脱着監視装置５では、制御部５２１が受信した識別情報と同一の識別情報について記憶部５２２に関連付けて記憶されている電気抵抗値のうちの最新値を読み出す（本発明の工程（ｂ）の一例に相当）。
【００２９】
ボトル１が未開封である場合（同図の（ａ）欄）、読み出された最新値と受信した電気抵抗値とは同一である、あるいは変動量が許容範囲以内であると判定し（本発明の工程（ｃ）の一例に相当）、ボトルキャップ３は開栓されていないと制御部５２１は判定する（本発明の工程（ｄ）の一例に相当）。そして、その旨を表示／操作部５３が表示してユーザに知らせる。
【００３０】
一方、同図の（ｂ）欄の中段部に示すように最初のボトリング後にボトル１が開封された後、ボトルキャップ３が再装着されることがあるが、この場合、ボトルキャップ３の脱着時に接点３３、３４が接触部材２５の表面を摺動して電気抵抗値は変化する。したがって、ユーザが最初のボトリング時と同様にして電気抵抗の計測を行ったとしても、ＩＣタグ４により計測される電気抵抗値は最初のボトリング直後の値と異なる値（同図では「◎◎Ω」）となる。そして、その電気抵抗値が識別情報とともにＩＣタグ４から脱着監視装置５に送信される。これを受信した脱着監視装置５では、制御部５２１が受信した識別情報と同一の識別情報について記憶部５２２に関連付けて記憶されている電気抵抗値のうちの最新値を読み出す（本発明の工程（ｂ）の一例に相当）。すると、受信した電気抵抗値が上記許容範囲を超えて変動しているため、ボトルキャップ３は開栓されたと制御部５２１は判定し（本発明の工程（ｂ）、（ｃ）の一例に相当））、その旨を表示／操作部５３が表示してユーザに知らせる。
【００３１】
以上のように、本実施形態によれば、ＩＣタグ４がボトル本体２に対するボトルキャップ３の脱着に関する脱着情報として電気抵抗値を計測し、ボトル１を識別する識別情報とともに脱着監視装置５に送信する。したがって、識別情報と電気抵抗値とを参照することでボトル１におけるボトル本体２に対するボトルキャップ３の脱着判定を確実に行うことができる。このように電気抵抗値を計測する機能をＩＣタグ４に追加的に装備することで、ボトル本体２に対するボトルキャップ３の脱着を簡単な構成で安定的に監視することができる。
【００３２】
また、上記実施形態では、ボトル１に接触部材２５を付加して電気抵抗値を計測しているため、偽造ボトルを製造することは事実上不可能である。というのも、接触部材２５を偽造ボトルに作り込んだとしても、その電気抵抗値をボトリング直後の電気抵抗値に一致させることは非常に困難であり、事実上不可能である。特に、接触部材２５、接点３３、３４や配線３５、３６などを印刷法により製造する場合、印刷幅や厚みにバラツキが生じ易く、このことが個体識別にむしろ有利に作用し、偽造をより困難なものとしている。
【００３３】
また、接点３３、３４と接触部材２５とは、ともに導電性を有する材料で形成することが必須要件であるが、それ以外については任意である。ただし、上記実施形態では、接点３３、３４の硬度と、接触部材２５の硬度とを相違させている。このため、ボトルキャップ３の脱着時の摺動により電気抵抗値を大きく変化させることができる。このような硬度調整によって脱着監視をより高精度に行うことができる。例えば導電性インクによる印刷法では、導電性インクに含有されるバインダ成分などを調整することで硬度を高い自由度で調整することができる。したがって、当該印刷法は最も好適な製造技術のひとつであるといえる。なお、上記実施形態では、接点３３、３４の硬度が接触部材２５の硬度よりも高くなるように設定しているが、硬度関係を逆転させてもよく、上記と同様の作用効果が得られる。
【００３４】
このように本実施形態では、ボトル１、ボトル本体２およびボトルキャップ３がそれぞれ本発明の「ＩＣタグ付物品」、「第１部品」および「第２部品」の一例に相当している。記憶部４１、５２２がそれぞれ本発明の「物品側記憶部」および「監視側記憶部」の一例に相当している。接触部材２５の電気抵抗が本発明の「接触部材の電磁気的な性質を示す物性値」の一例に相当している。通信給電部４１１およびリーダライタ５１がそれぞれ本発明の「送信部」および「受信部」として機能している。
【００３５】
なお、本発明は上記実施形態に限定されるものではなく、その趣旨を逸脱しない限りにおいて上述したものに対して種々の変更を加えることが可能である。例えば、上記実施形態では、ボトルキャップ３にＩＣタグ４を取り付けているが、ボトル本体２にＩＣタグ４を取り付けてもよい。この場合、ボトル本体２およびボトルキャップ３がそれぞれ本発明の「第２部品」および「第１部品」の一例に相当する。
【００３６】
また、上記実施形態では、検知部４１２ａにより電気抵抗が検知される毎に、記憶部４１３に記憶される電気抵抗値（脱着情報）を更新しているが、脱着監視装置５と併用する場合には、ＩＣタグ４側での電気抵抗値の記憶は必ずしも必須ではない。また、電気抵抗検知が行われる毎に電気抵抗値をＩＣタグ４の記憶部４１３に登録して電気抵抗値を蓄積してもよく、この場合、ＩＣタグ４から電気抵抗値を読み出して参照することでボトルキャップ３の脱着履歴を検証することができる。
【００３７】
また、上記実施形態では、開栓の有無のみを監視しているが、本発明の適用対象はこれに限定されない。例えば開栓された後において、チェック指令に基づいて電気抵抗が検知される毎に最新の電気抵抗値を識別情報と関連つけて更新して記憶するとともに、検知部４１２ａにより電気抵抗が検知される毎に当該電気抵抗値と最新の電気抵抗値との同一性を判定してボトルキャップ３の脱着を監視してもよい。
【００３８】
また、上記実施形態では、樹脂材料で成形されたボトル１に対して本発明を適用しているが、本発明の適用対象はこれに限定されるものではなく、ガラス材料やセラミック材料などで構成されるボトルにも本発明を適用可能である。また、ボトルに限定されるものではなく、第１部品と第２部品とが相互に脱着可能に設けられた物品に対して本発明を適用することができる。
【産業上の利用可能性】
【００３９】
この発明は、第１部品と、ＩＣタグが取り付けられた第２部品とが相互に脱着可能なＩＣタグ付物品全般、ＩＣタグ付物品における部品の脱着を監視する脱着監視技術全般ならびにそれらに好適なＩＣタグ全般に適用することができる。
【符号の説明】
【００４０】
１…ボトル（ＩＣタグ付物品）
２…ボトル本体（第１部品）
３…ボトルキャップ（第２部品）
４…ＩＣタグ
５…脱着監視装置
２５…接触部材
３３，３４…接点
３５，３６…配線
４１…ＩＣチップ
５１…リーダライタ（受信部）
５２…コントローラ
５３…表示／操作部
４１１…通信給電部（送信部）
４１２ａ…検知部
４１２ｂ…情報更新部
４１３…（物品側）記憶部
５２１ａ…同一性判定部
５２１ｂ…脱着判定部
５２２…（監視側）記憶部
【図１】
2019128807.tif 000003
【図２】
2019128807.tif 000004
【図３】
2019128807.tif 000005
【図４】
2019128807.tif 000006
【図５】
2019128807.tif 000007